(57)【要約】      （修正有）【課題】キャップ蓋をペットボトル本体から取り外した際に、キャップ蓋が落下または紛失することなどを防止し、既存の金型に軽微な形状変更するのみで製造することができるとともに、外観の見栄えも悪くならないペットボトル容器を提供する。【解決手段】底面から上方に向けて略筒状に形成された筒状部５、および筒状部の上端から縮径して形成された開口部７が一体的に形成されたペットボトル本体２と、ペットボトル本体の開口部に着脱自在に取り付けられるキャップ蓋３と、を備え、ペットボトル本体の外面には、深さ０．５ｍｍ〜５ｍｍ、横断面最大幅１ｍｍ〜１５ｍｍの凹部９が形成され、キャップ蓋の上面には、ペットボトル本体の凹部９と略同形状で、ペットボトル本体の凹部と嵌合する凸部１１が形成されているので、既存のペットボトル金型に軽微な形状変更するのみで本発明ペットボトルの製造可能となる。また、外観の見栄えも悪くならない。【選択図】図４
2016078905.tif 000002
【特許請求の範囲】
【請求項１】
飲料を内部に貯留するペットボトル容器であって、
底面から上方に向けて略筒状に形成された筒状部、および該筒状部の上端から縮径して形成された開口部が一体的に形成されたペットボトル本体と、
該ペットボトル本体の開口部に着脱自在に取り付けられるキャップ蓋と、を備え、
前記ペットボトル本体の外面には、深さ０．５ｍｍ〜５ｍｍ、横断面最大幅１ｍｍ〜１５ｍｍの凹部が形成され、
前記キャップ蓋の上面には、該ペットボトル本体の凹部と略同形状で、該ペットボトル本体の凹部と嵌合する凸部が形成され、
前記キャップ蓋は、前記キャップ蓋の凸部を前記ペットボトル本体の凹部に突入係止させて、該ペットボトル本体の外面に支持されることを特徴とするペットボトル容器。
【請求項２】
飲料を内部に貯留するペットボトル容器であって、
底面から上方に向けて略筒状に形成された筒状部、および該筒状部の上端から縮径して形成された開口部が一体的に形成されたペットボトル本体と、
該ペットボトル本体の開口部に着脱自在に取り付けられるキャップ蓋と、を備え、
前記ペットボトル本体の外面には、高さ０．５ｍｍ〜５ｍｍ、横断面最大幅１ｍｍ〜１５ｍｍの凸部が形成され、
前記キャップ蓋の上面には、該ペットボトル本体の凸部と略同形状で、該ペットボトル本体の凸部と嵌合する凹部が形成され、
前記キャップ蓋は、前記キャップ蓋の凹部を前記ペットボトル本体の凸部に突入係止させて、該ペットボトル本体の外面に支持されることを特徴とするペットボトル容器。
【請求項３】
前記ペットボトル本体の外面の凹部または凸部は、前記ペットボトル本体の筒状部の上端から開口部に至るペットボトル本体の肩部に設けられていることを特徴とする請求項１または請求項２記載のペットボトル容器。  
【請求項４】
前記ペットボトル本体の底面中央部には、前記キャップ蓋の外形より大きい形状のキャップ蓋収納部が凹形状で形成され、
前記ペットボトル本体の外面の凹部または凸部は、前記キャップ蓋収納部の上面に形成され、
前記キャップ蓋は、前記ペットボトル本体底面のキャップ蓋収納部の外周面の最下端を周方向に結んでできる平面より該キャップ蓋収納部側に収まって収納されることを特徴とする請求項１または請求項２記載のペットボトル容器。
【発明の詳細な説明】
【技術分野】
【０００１】
本発明は、飲料を内部に貯留するペットボトル容器に関する。詳しくは、キャップ蓋をペットボトル本体から取り外した際に、キャップ蓋が落下または紛失することなどを防止するペットボトル容器に関する。
【背景技術】
【０００２】
従来からキャップ蓋をペットボトル本体から取り外した際に、キャップ蓋が落下または紛失することなどを防止するペットボトル容器が知られている。この種のペットボトル容器として、たとえば、ボトル容器１０１の肩部１１３に、キャップ１１５を嵌め込んで格納するキャップ格納部１１７が設けられ、このキャップ格納部１１７は、肩部１１３の周方向で互いに対向する対向面部１７１，１７１と、その各対向面部１７１の内方端を鉛直方向に連結する鉛直面部１７２と、各対向面部１７１の下端を略水平に連結する水平面部１７３とを備えているものであった。そして、このキャップ格納部１１７は、対向面部１７１，１７１同士の間の距離がキャップ１１５の外径と略一致し、対向面部１７１，１７１間でキャップ１１５を嵌め込んだ状態に保持し、キャップ１１５の格納が円滑に行えるというものであった（たとえば、特許文献１（図７参照））。ここで、図７は、従来のキャップを格納したキャップ格納部を正面から見たボトル容器の正面図である。
【０００３】
また、ペットボトル本体１５１の肩部１５２にキャップ１５３の円弧サイズのスリット１５４を形成し、そのスリット１５４にキャップ１５３と咬み合むというものもあった（例えば、特許文献２（図８参照））。ここで、図８は、従来の四角錐型のペットボトルの斜視図である。
【０００４】
【特許文献１】実用新案登録第３１６１３１９号公報
【特許文献２】実用新案登録第３１５５９３０号公報
【発明の開示】
【発明が解決しようとする課題】
【０００５】
しかしながら、従来のボトル容器１０１では、キャップ１１５を嵌め込んで保持するキャップ格納部１１７がキャップ１１５の外径と略一致に形成されていることから、ボトル容器１に対しキャップ格納部１１７の占める割合が大きく、ボトル容器１自体の外観を大きく損なうことになる。これにより、飲料を飲む使用者の気持ちに影響を与え、気持ち的に味覚を損なうという問題が発生する。すなわち、飲食物（容器も含む）の外観は飲食物の味覚に影響を与えるものである。
【０００６】
また、従来のペットボトル本体１５１は、ペットボトル本体１５１の肩部１５２のスリット１５４にキャップ１５３を咬み合うものであるが、図８に示すように、スリット１５４にキャップ１５３を咬み合せると、スリット１５４の左右端の角にキャップ１５３が当ることになり、キャップ１５３をスリット１５４に十分に咬み合せることができない。また、そのスリット１５４が形成されたペットボトル本体１５１を製造するためには、ブロー成形における金型の形状が複雑になり、製造コストが増大するという問題も生じる。さらに、ペットボトル本体１５１の肩部１５２にスリット１５４を形成すると、ペットボトル本体１５１に対しスリット１５４の占める割合が大きいので、上記ボトル容器１０１同様、ペットボトル本体１５１の外観を大きく損なうという問題が発生する。
【０００７】
本発明は上記問題点に鑑みてなされたもので、既存のペットボトル金型に軽微な形状変更するのみで本発明のペットボトル容器の製造することができるとともに、外観の見栄えも悪くならないペットボトル容器を提供することを目的とする。
【課題を解決するための手段】
【０００８】
上記課題を解決し上記目的を達成するために、本発明のうち第１の態様に係るものは、飲料を内部に貯留するペットボトル容器であって、底面から上方に向けて略筒状に形成された筒状部、および筒状部の上端から縮径して形成された開口部が一体的に形成されたペットボトル本体と、ペットボトル本体の開口部に着脱自在に取り付けられるキャップ蓋と、を備え、ペットボトル本体の外面には、深さ０．５ｍｍ〜５ｍｍ、横断面最大幅１ｍｍ〜１５ｍｍの凹部が形成され、キャップ蓋の上面には、ペットボトル本体の凹部と略同形状で、ペットボトル本体の凹部と嵌合する凸部が形成され、キャップ蓋は、キャップ蓋の凸部をペットボトル本体の凹部に突入係止させて、ペットボトル本体の外面に支持されることを特徴とするものである。
【０００９】
本発明によれば、ペットボトル本体外面の凹部とキャップ蓋上面のペットボトル本体の凹部と略同形状の凸部とを嵌合させることにより、キャップ蓋をペットボトル本体から取り外した際でも、キャップ蓋が落下したり紛失したりすることを防止することができる。また、高さ（深さ）０．５ｍｍ〜５ｍｍ、横断面最大幅１ｍｍ〜１５ｍｍのペットボトル本体外面の凹部とキャップ蓋上面のペットボトル本体の凹部と略同形状の凸部であるので、ペットボトル本体およびキャップ蓋の形状が大きく変形することなく、ペットボトル容器自体の外観を損なうことがない。これにより、使用者はペットボトル容器の外観を気にすることなく、飲料の味覚を味わうことができる。また、ブロー成形における既存金型に軽微な変更を施すのみであり、製造コストの増大幅も少なくすることができる。
【００１０】
本発明のうち第２の態様に係るものは、飲料を内部に貯留するペットボトル容器であって、底面から上方に向けて略筒状に形成された筒状部、および筒状部の上端から縮径して形成された開口部が一体的に形成されたペットボトル本体と、ペットボトル本体の開口部に着脱自在に取り付けられるキャップ蓋と、を備え、ペットボトル本体の外面には、高さ０．５ｍｍ〜５ｍｍ、横断面最大幅１ｍｍ〜１５ｍｍの凸部が形成され、キャップ蓋の上面には、ペットボトル本体の凸部と略同形状で、ペットボトル本体の凸部と嵌合する凹部が形成され、キャップ蓋は、キャップ蓋の凹部をペットボトル本体の凸部に突入係止させて、ペットボトル本体の外面に支持されることを特徴とするものである。
【００１１】
本発明によれば、ペットボトル本体外面の凸部とキャップ蓋上面のペットボトル本体の凸部と略同形状の凹部とを嵌合させることにより、キャップ蓋をペットボトル本体から取り外した際でも、キャップ蓋が落下したり紛失したりすることを防止することができる。また、高さ（深さ）０．５ｍｍ〜５ｍｍ、横断面最大幅１ｍｍ〜１５ｍｍのペットボトル本体外面の凸部とキャップ蓋上面のペットボトル本体の凸部と略同形状の凹部であるので、ペットボトル本体およびキャップ蓋の形状が大きく変形することなく、ペットボトル容器自体の外観を損なうことがない。これにより、使用者はペットボトル容器の外観を気にすることなく、飲料の味覚を味わうことができる。また、ブロー成形における既存金型に軽微な変更を施すのみであり、製造コストの増大幅も少なくすることができる。
【００１２】
本発明のうち第３の態様に係るものは、第１または第２の態様に係るペットボトル容器あって、ペットボトル本体の外面の凹部または凸部は、ペットボトル本体の筒状部の上端から開口部に至るペットボトル本体の肩部に設けられていることを特徴とするものである。  
【００１３】
本発明によれば、ペットボトル本体の外面の凹部または凸部がペットボトル本体の筒状部の上端から開口部に至るペットボトル本体の肩部に形成されているので、ペットボトル本体の開口部から取り外されたキャップ蓋を、ペットボトル本体の開口部近傍のペットボトル本体の肩部に容易に保持させることができる。
【００１４】
本発明のうち第４の態様に係るものは、第１または第２の態様に係るペットボトル容器あって、ペットボトル本体の底面中央部には、キャップ蓋の外形より大きい形状のキャップ蓋収納部が凹形状で形成され、ペットボトル本体の外面の凹部または凸部は、キャップ蓋収納部の上面に形成され、キャップ蓋は、ペットボトル本体底面のキャップ蓋収納部の外周面の最下端を周方向に結んでできる平面よりキャップ蓋収納部側に収まって収納されることを特徴とするものである。
【００１５】
本発明によれば、キャップ蓋がペットボトル本体底面のキャップ蓋収納部の外周面の最下端を周方向に結んでできる平面よりキャップ蓋収納部側に収まって収納されるので、ペットボトル容器の使用状態においてペットボトル容器の外観を損なうことがなく、例えば、ペットボトル容器の載置状態においてもペットボトル容器の外部から見えないので、ペットボトル容器の外観を全く損なうことがない。また、使用者がペットボトル本体を用いて飲料を飲む際に、使用者はキャップ蓋収納部内のキャップ蓋に小指を当てて飲むことにより、キャップ蓋収納部内からキャップ蓋が離脱することをなくすることができる。
【発明の効果】
【００１６】
以上のように本発明のペットボトル容器によれば、既存のペットボトル金型に軽微な形状変更するのみで本発明ペットボトルの製造可能となる。また、外観の見栄えも悪くならない。
【図面の簡単な説明】
【００１７】
【図１】本発明の第１実施形態におけるペットボトル容器の斜視図である。
【図２】（ａ）  同ペットボトル容器のペットボトル本体の側面図である。            （ｂ）  図２（ａ）のＡ−Ａ断面図である。
【図３】（ａ）  本発明の第１実施形態におけるペットボトル容器のキャップ蓋の上面図である。            （ｂ）  同キャップ蓋の側面図である。            （ｃ）  同３（ａ）のＢ−Ｂ断面図である。
【図４】（ａ）  本発明の第１実施形態におけるペットボトル本体の凹部にキャップ蓋が取り付けられている状態を示す上面図である。            （ｂ）  同ペットボトル本体の凹部にキャップ蓋が取り付けられている状態を示す側面図である。            （ｃ）  図４（ａ）のＣ−Ｃ断面図である。            （ｄ）  キャップ蓋の凸部がペットボトル本体の凹部に嵌入されている部分を示す断面図である。
【図５】（ａ）  本発明の第２実施形態におけるペットボトル容器のペットボトル本体の側面図である。            （ｂ）  同ペットボトル本体の下面図である            （ｃ）  図５（ａ）のＤ−Ｄ断面図である。
【図６】（ａ）本発明の第２実施形態におけるペットボトル本体のキャップ蓋収納部にキャップ蓋が取り付けられている状態を示す下面斜視図である。            （ｂ）図６（ａ）のＥ−Ｅ断面図である。            （ｃ）  キャップ蓋の凸部がペットボトル本体の凹部に嵌入されている部分を示す断面図である。
【図７】従来のキャップを格納したキャップ格納部を正面から見たボトル容器の正面図である。
【図８】従来の四角錐型のペットボトルの斜視図である。
【発明を実施するための最良の形態】
【００１８】
（第１実施形態）
以下、本発明のペットボトル容器の第１実施形態について図面を参照にしながら説明する。図１は、本発明の第１実施形態におけるペットボトル容器の斜視図である。
【００１９】
図１に示すように、第１ペットボトル容器１は、飲料を貯留する第１ペットボトル本体２と、第１ペットボトル本体２と着脱可能に螺合されるキャップ蓋３とから構成されている。ここで、第１ペットボトル本体２は、例えば、ポリエチレンテレフタレートを主材料とした透明な樹脂材料から生成され、キャップ蓋３は、例えば、ポリプロピレン、ポリエチレン等を主材料とした樹脂材料から生成されている。ここで、第１実施形態では、第１ペットボトル容器１、第１ペットボトル本体２のように、ペットボトル容器、ペットボトル本体などに「第１」を付して、第２実施形態の「ペットボトル容器」、「ペットボトル本体」などと区別して表記している。
【００２０】
次に、第１ペットボトル本体２について、図２を参照にしながら具体的に説明する。ここで、図２（ａ）は本発明の第１実施形態におけるペットボトル容器のペットボトル本体の側面図であり、図２（ｂ）は図２（ａ）のＡ−Ａ断面図である。  
【００２１】
図２（ａ）に示すように、第１ペットボトル本体２は、底面４と、下端が底面４により閉塞された略筒状の筒状部５と、筒状部５の上部に筒状部５よりも細く形成された肩部６と、第１ペットボトル本体２の肩部６の上端に円形中空状に形成された開口部７とが一体となって形成されている。すなわち、筒状部５は底面４から上方に向けて略筒状に形成された部位であり、また、開口部７は筒状部５の上端から上方に縮径して円筒中空状に形成された部位であり、肩部６は筒状部５の上端から開口部７に至る部位のことである。なお、本実施形態では、筒状部５を略円筒状に形成しているが、これに限らず、角筒状に形成してもよい。また、開口部７の外面には雄螺子部８が形成されている。また、第１ペットボトル本体２の肩部６には、深さ２ｍｍ、横断面最大幅３ｍｍの略円筒状の第１凹部９が４つ形成されている（図２（ｂ）参照）。なお、本実施形態では、第１ペットボトル本体の肩部６に、深さ２ｍｍ、横断面の直径３ｍｍの略円筒状の第１凹部９を形成させたが、これに限らず、深さ０．５ｍｍ〜５ｍｍ、横断面最大幅１ｍｍ〜１５ｍｍの略円筒状の凹部を形成してもよく、また、第１凹部９を略円筒状とせず、四角柱状や三角柱状など深さ０．５ｍｍ〜５ｍｍ、横断面最大幅１ｍｍ〜１５ｍｍの任意の形状としてもよい。また、本実施形態では、第１ペットボトル本体２の肩部６に第１凹部９を４つ形成させたが、これに限らず、１つ、２つ、３つなど数は問わない。
【００２２】
次に、キャップ蓋３について、図３を参照にしながら具体的に説明する。ここで、図３（ａ）は本発明の第１実施形態におけるペットボトル容器のキャップ蓋の上面図であり、図３（ｂ）は同キャップ蓋の側面図であり、図３（ｃ）は同３（ａ）のＢ−Ｂ断面図である。
【００２３】
キャップ蓋３は、上端が閉塞された円筒状に形成され、内周面に第１ペットボトル本体２の開口部７の雄螺子部８と螺合可能な雌螺子部１０が形成されている。また、キャップ蓋３の上面には、第１ペットボトル本体２の第１凹部９と略同形状で、すなわち、高さ  ｍｍ、直径  ｍｍの略円筒状の凸部１１が形成されている（図３参照）。そして、第１ペットボトル本体２の第１凹部９にキャップ蓋３の凸部１１が嵌合して取り付けられる。ここで、第１ペットボトル本体２の第１凹部９が四角柱状や三角柱状などの形状である場合は、キャップ蓋３の凸部１１の形状も第１ペットボトル本体２の第１凹部９と略同形状（四角柱状や三角柱状などの形状）となる。
【００２４】
次に、第１ペットボトル本体２の第１凹部９にキャップ蓋３が取り付けられている状態について説明する。ここで、図４（ａ）は本発明の第１実施形態におけるペットボトル本体の凹部にキャップ蓋が取り付けられている状態を示す上面図であり、図４（ｂ）は同ペットボトル本体の凹部にキャップ蓋が取り付けられている状態を示す側面図であり、図４（ｃ）は図４（ａ）のＣ−Ｃ断面図であり、図４（ｄ）はキャップ蓋の凸部がペットボトル本体の凹部に嵌入されている部分を示す断面図である。
【００２５】
キャップ蓋３の凸部１１は、第１ペットボトル本体２の第１凹部９に挿入され嵌合される。これにより、キャップ蓋３の凸部１１が第１ペットボトル本体２の第１凹部９と略同形状であるので、キャップ蓋３は第１ペットボトル本体２の第１凹部９に確固として係止される。ここで、本実施形態では、キャップ蓋３の凸部１１の後端部の横断面幅を先端部の横断面積より少し小さくし、キャップ蓋３の凸部１１を略円形形状にしている。このようにすることにより、キャップ蓋３が第１ペットボトル本体２の第１凹部９により確固として係止されることになる。しかしながら、これに限らず、キャップ蓋３の凸部１１の先端部と後端部を同一形状にした円柱形状としてもよい。  
【００２６】
以上説明したように、本実施形態の第１ペットボトル容器１によれば、第１ペットボトル本体２の肩部６の第１凹部９とキャップ蓋３の凸部１１とを嵌合させることにより、キャップ蓋３をペットボトル本体１から取り外した際でも、キャップ蓋３が落下したり紛失したりすることを防止することができる。また、高さ（深さ）０．５ｍｍ〜５ｍｍ、横断面最大幅１ｍｍ〜１５ｍｍの第１ペットボトル本体２の第１凹部９とキャップ蓋３の凸部１１であるので、第１ペットボトル本体２およびキャップ蓋３の形状が大きく変形することなく、第１ペットボトル容器１自体の外観を損なうことがない。これにより、使用者は第１ペットボトル容器１の外観を気にすることなく、飲料の味覚を味わうことができる。また、第１ペットボトル本体２の第１凹部９が肩部６に形成されているので、第１ペットボトル本体２の開口部７から取り外されたキャップ蓋３を、第１ペットボトル本体２の開口部７近傍の肩部６の第１凹部９に容易に保持させることができる。
【００２７】
（第２実施形態）
次に、本発明の第２実施形態のペットボトル容器について図面を参照にしながら説明する。図５（ａ）は本発明の第２実施形態におけるペットボトル容器のペットボトル本体の側面図であり、図５（ｂ）は同ペットボトル本体の下面図であり、図５（ｃ）は図５（ａ）のＤ−Ｄ断面図である。
【００２８】
本発明の第２実施形態と第１実施形態の異なるところは、第１実施形態では第１ペットボトル本体２の第１凹部９を第１ペットボトル本体２の肩部６に形成したのに対し、第２実施形態では、第２ペットボトル本体１２の底面中央部にキャップ蓋３の外形より大きい形状のキャップ蓋収納部１３が形成され、第２ペットボトル本体１２の第２凹部１４をキャップ蓋収納部１３の上面に形成させたところである。以下、具体的に説明する。ここで、上述したように、第２実施形態では、第２ペットボトル本体１２の第２凹部１２のように、「第２」を付して、第１実施形態の「ペットボトル本体の凹部」と区別して表記している。なお、第２実施形態では、第１実施形態と同一構成要素について同一符号を用い同一作用効果を奏するものとし、説明は省略する。
【００２９】
図５に示すように、第２ペットボトル本体１２の底面中央部には、キャップ蓋３の外形より大きい形状としたキャップ蓋収納部１３が形成されている。具体的には、キャップ蓋収納部１３は、円筒状の凹部形状で形成され、上面の形状はキャップ蓋３の上面の形状と略同一に形成されている。そして、キャップ蓋収納部１３の上面に、第２ペットボトル本体１２の第２凹部１４が形成されている。ここで、本実施形態では、キャップ蓋収納部１３の形状をキャップ蓋３の外形より大きい形状としているが、キャップ蓋収納部１３の形状の横断面をキャップ蓋３の外形の横断面より少し小さい形状としてもよい。このようにすることにより、キャップ蓋３がキャップ蓋収納部１に確固として係止されることになる。
【００３０】
キャップ蓋３は、第１実施形態と同様であり、このキャップ蓋３の凸部１１はキャップ蓋収納部１３の上面の第２凹部１４の位置と同一位置に形成されている。このように形成することにより、第２ペットボトル本体１２のキャップ蓋収納部１３にキャップ蓋３を挿入し、キャップ蓋収納部１３の第２凹部１４にキャップ蓋３の凸部１１を嵌合させることができる。
【００３１】
次に、第２ペットボトル本体１２の第２凹部１４にキャップ蓋３が取り付けられている状態について図６を参照にしながら説明する。ここで、図６（ａ）は本発明の第２実施形態におけるペットボトル本体のキャップ蓋収納部にキャップ蓋が取り付けられている状態を示す下面斜視図であり、図６（ｂ）は図６（ａ）のＥ−Ｅ断面図であり、図６（ｃ）はキャップ蓋の凸部がペットボトル本体の凹部に嵌入されている部分を示す断面図である。
【００３２】
第２ペットボトル本体１２の開口部７から取り外されたキャップ蓋３は、第２ペットボトル本体１２の底面中央部のキャップ蓋収納部１３に挿入され、そして、キャップ蓋３の凸部１１が第２ペットボトル本体１２の第２凹部１４に嵌合される。これにより、キャップ蓋３の凸部１１が第２ペットボトル本体１２の第２凹部１４と略同形状であるので、キャップ蓋３は第２ペットボトル本体１２の第２凹部１４に確固として係止される。ここで、本実施形態では、第１実施形態同様、キャップ蓋３の凸部１１の先端部の横断面幅を後端部の横断面幅より少し小さくし、キャップ蓋３の凸部１１を略円形形状にしている。このようにすることにより、キャップ蓋３が第２ペットボトル本体１２の第２凹部１４により確固として係止されることになる。しかしながら、これに限らず、キャップ蓋３の凸部１１の先端部と後端部を同一形状にした円柱形状としてもよい。  
【００３３】
また、キャップ蓋３が第２ペットボトル本体１２の第２凹部１４に取り付けられている状態では、キャップ蓋３は、第２ペットボトル本体１２の底面４のキャップ蓋収納部１３の外周面の最下端を周方向に結んでできる平面よりキャップ蓋収納部１３側に収まって収納されている。すなわち、第２ペットボトル本体１２の底面４のキャップ蓋収納部１３の周辺の高さが高い箇所を周方向に線で結んで、その線の内部を平面としたときに、第２ペットボトル本体１２の第２凹部１４に挿入されたキャップ蓋３は、その平面よりキャップ蓋収納部１３側に収まって収納されている。これにより、第２ペットボトル本体１２の底面４にキャップ蓋収納部１３を収納した状態で、第２ペットボトル容器１５を机などに載置させることができるとともに、第２ペットボトル容器１５を机などに載置させた状態でキャップ蓋３が外部から見えない。
【００３４】
以上説明したように、本実施形態の第２ペットボトル容器１５によれば、キャップ蓋３が第２ペットボトル本体１２の底面４のキャップ蓋収納部１３の外周面の最下端を周方向に結んでできる平面よりキャップ蓋収納部１３側に収まって収納されるので、第２ペットボトル容器１５の使用状態において第２ペットボトル容器１５の外観を損なうことがなく、第２ペットボトル容器１５の載置状態においても第２ペットボトル容器１５の外部から見えないので、第２ペットボトル容器１５の外観を全く損なうことがない。また、使用者が第２ペットボトル本体１２を用いて飲料を飲む際に、使用者はキャップ蓋収納部１３内のキャップ蓋３に使用者の小指を当てて飲むことにより、キャップ蓋収納部１３内からキャップ蓋３が離脱することをなくすることができる。
【００３５】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００３６】
以下、本発明の変形例について説明する。
【００３７】
（変形例１）
本実施形態では、ペットボトル本体（第１ペットボトル本体２、第２ペットボトル本体１２）の凹部（第１凹部９、第２凹部１４）を、第１実施形態では第１ペットボトル本体２の側面の肩部６に形成され、また、第２実施形態では第２ペットボトル本体１２の底面４のキャップ蓋収納部１３に形成したが、これに限らず、ペットボトル本体の外面であれば他のところに形成するようにしてもよい。
【００３８】
（変形例２）
本実施形態および変形例１では、ペットボトル本体（第１ペットボトル本体２、第２ペットボトル本体１２）に凹部（第１凹部９、第２凹部１４）を設け、キャップ蓋３に凸部１１を設けたが、これに限らず、ペットボトル本体（第１ペットボトル本体２、第２ペットボトル本体１２）に凹部の代わりに凸部を設け、キャップ蓋３には凸部１１の代わりに凹部を設けるようにしてもよい。このようにしても、上記実施形態および変形例１と同様の作用効果を奏することができる。
【符号の説明】
【００３９】
１    第１ペットボトル容器（ペットボトル容器）
２    第１ペットボトル本体（ペットボトル本体）
３    キャップ蓋
４    底面
５    筒状部
６    肩部
７    開口部
８    雄螺子部
９    第１凹部（凹部）
１０  雌螺子部
１１  凸部
１２  第２ペットボトル本体（ペットボトル本体）
１３  キャップ蓋収納部
１４  第２凹部（凹部）
１５  第２ペットボトル容器（ペットボトル容器）
【図１】
2016078905.tif 000003
【図２】
2016078905.tif 000004
【図３】
2016078905.tif 000005
【図４】
2016078905.tif 000006
【図５】
2016078905.tif 000007
【図６】
2016078905.tif 000008
【図７】
2016078905.tif 000009
【図８】
2016078905.tif 000010